【手続補正書】
【提出日】平成25年1月11日(2013.1.11)
【手続補正１】
【補正対象書類名】明細書
【補正対象項目名】０００７
【補正方法】変更
【補正の内容】
【０００７】
一方、特許文献３のように、磁気センサ素子に対して媒体の移動方向でずれた位置に磁界印加用磁石を配置した場合、媒体の透磁率を検出する際、磁気センサ素子が磁界印加用磁石の磁界を検出してしまい、透磁率と残留磁束の切り分ける事ができない。
【手続補正２】
【補正対象書類名】明細書
【補正対象項目名】００３１
【補正方法】変更
【補正の内容】
【００３１】
本形態において、磁界印加用磁石３０は、磁気センサ素子４５（磁束検出部４０）に対して媒体１の移動方向の両側に磁界印加用第１磁石３１と磁界印加用第２磁石３２として配置されており、矢印Ｘ１で示す媒体１の移動方向に沿って、磁界印加用第１磁石３１、磁気センサ素子４５および磁界印加用第２磁石３２がこの順に配置されている。このため、磁界印加用磁石３０と磁気センサ素子４５とは上下方向、すなわち、磁気センサ素子４５の直下で重なっていない。本形態において、磁気センサ素子４５は、磁界印加用第１磁石３１と磁界印加用第２磁石３２との中間位置に配置されており、磁界印加用第１磁石３１と磁気センサ素子４５との離間距離と、磁界印加用第２磁石３２と磁気センサ素子４５との離間距離が等しい。ここで、磁界印加用第１磁石３１、磁気センサ素子４５および磁界印加用第２磁石３２はいずれも、磁気センサ装置２０のセンサ面２１に対向するように配置されている。
【手続補正３】
【補正対象書類名】明細書
【補正対象項目名】００３５
【補正方法】変更
【補正の内容】
【００３５】
また、本形態では、媒体１の移動方向で対向する磁界印加用第１磁石３１の永久磁石３５と磁界印加用第２磁石３２の永久磁石３５とは、磁気センサ素子４５（磁束検出部４０）を挟んで異なる極が対向している。例えば、媒体１の移動方向で対向する磁界印加用第１磁石３１の永久磁石３５、および磁界印加用第２磁石３２の永久磁石３５のうち、一方の永久磁石３５は、媒体搬送路１１側に位置する端部がＮ極に着磁されているが、他方の永久磁石３５は、媒体搬送路１１側に位置する端部がＳ極に着磁されている。また、磁界印加用第１磁石３１の永久磁石３５と磁界印加用第２磁石３２の永久磁石３５とは、サイズや着磁強度が等しく、かつ、磁界印加用第１磁石３１との磁気センサ素子４５との離間距離と、磁界印加用第２磁石３２と磁気センサ素子４５との離間距離とが等しい。このため、図２（ｂ）、（ｃ）に示すように、磁界印加用第１磁石３１の永久磁石３５の磁界、および磁界印加用第２磁石３２の永久磁石３５の磁界は各々、磁気センサ素子４５の周辺まで形成されているが、磁気センサ素子４５は、磁界印加用第１磁石３１の磁界と磁界印加用第２磁石３２の磁界とが中和している個所に配置するので、磁気センサ素子４５周辺（磁気センサ素子４５周辺）は、磁界印加用第１磁石３１および磁界印加用第２磁石３２に起因する磁束密度が低い。
【手続補正４】
【補正対象書類名】明細書
【補正対象項目名】００５２
【補正方法】変更
【補正の内容】
【００５２】
（本形態の主な効果）
以上説明したように、本形態の磁気パターン検出装置１００で用いた磁気センサ装置２０は、媒体１に磁界を印加する磁界印加用磁石３０と、磁束を検出する磁気センサ素子４５（磁束検出部４０）とを備えており、磁界印加用磁石３０は、磁気センサ素子４５に対して媒体１の移動方向の両側に磁界印加用第１磁石３１と磁界印加用第２磁石３２として配置されている。このため、磁束検出部４０に上下方向で重なった位置には磁界印加用磁石３０が配置されていない。従って、磁束検出部４０に付着しようとする磁性粉を磁界印加用第１磁石３１と磁界印加用第２磁石３２とによって吸着することができるので、磁束検出部への磁性粉の付着を防止することができる。それ故、磁束検出部４０に付着した磁性粉が媒体１と接触して移動すること等に起因する検出エラーの発生を防止することができる。また、磁束検出部４０に付着した磁性粉が媒体１と接触して移動すること等に起因する磁束検出部４０の磨耗を防止することができるので、磁気センサ装置２０の寿命を延長することができる。
【手続補正５】
【補正対象書類名】明細書
【補正対象項目名】００５７
【補正方法】変更
【補正の内容】
【００５７】
しかも、本形態では、磁気センサ素子４５に対して媒体１の移動方向の両側に磁界印加用第１磁石３１と磁界印加用第２磁石３２が配置されている。このため、図１に示すように、矢印Ｘ１で示す方向に移動する媒体１を磁界印加用第１磁石３１によって着磁し、その後、磁気センサ素子４５によって、着磁した後の媒体１にバイアス磁界を印加した状態における磁束を検出することができるとともに、矢印Ｘ２で示す方向に移動する媒体１を磁界印加用第２磁石３２によって着磁し、その後、磁気センサ素子４５によって、着磁した後の媒体１にバイアス磁界を印加した状態における磁束を検出することができる。それ故、本形態の磁気パターン検出装置１００を入出金機に用いれば、入金された媒体１の真偽を判定することができるとともに、出金される媒体１の真偽を判定することもできる。
【手続補正６】
【補正対象書類名】明細書
【補正対象項目名】００６１
【補正方法】変更
【補正の内容】
【００６１】
また、本形態において、磁気センサ素子４５は、バイアス磁界発生用励磁コイル４３および差動用磁界発生用励磁コイル４４を備えているため、磁気的な差動により、環境に起因する測定誤差を解消することができ、信号処理が容易である。さらに、センサコア４１において、胴部４１０から突出する第１突部４１１および第２突部４１２にバイアス磁界発生用励磁コイル４３および差動用磁界発生用励磁コイル４４が巻回されている。このため、媒体１に向けてバイアス磁界を効率よく発生させることができるとともに、センサコア４１を媒体１に接近させることができるので、感度を向上することができる。しかも、第１突部４１１および第２突部４１２の断面積は、胴部４１０の断面積に比して小さいため、高効率な磁気回路により感度が高い。
【手続補正７】
【補正対象書類名】明細書
【補正対象項目名】００６６
【補正方法】変更
【補正の内容】
【００６６】
かかる構成の磁気センサ装置２０において、実施の形態１では、媒体１の移動方向で対向する磁界印加用第１磁石３１の永久磁石３５と磁界印加用第２磁石３２の永久磁石３５とは、磁気センサ素子４５（磁束検出部）を挟んで異なる極が対向していたが、本形態において、媒体１の移動方向で対向する磁界印加用第１磁石３１の永久磁石３５と磁界印加用第２磁石３２の永久磁石３５とは、磁気センサ素子４５（磁束検出部）を挟んで同じ極が対向している。なお、磁界印加用第１磁石３１および磁界印加用第２磁石３２のいずれにおいても、媒体１の移動方向と交差する方向で隣り合う永久磁石３５同士は、実施の形態１と同様、互いに反対の向きに着磁されている。また、磁界印加用第１磁石３１の永久磁石３５と磁界印加用第２磁石３２の永久磁石３５とは、サイズや着磁強度が等しく、かつ、磁界印加用第１磁石３１と磁気センサ素子４５との離間距離と、磁界印加用第２磁石３２と磁気センサ素子４５との離間距離とが等しい。
【手続補正８】
【補正対象書類名】明細書
【補正対象項目名】００７０
【補正方法】変更
【補正の内容】
【００７０】
図１０（ａ）、（ｂ）に示すように、本形態の磁気センサ装置２０でも、実施の形態１、２と同様、磁界印加用磁石３０は、磁気センサ素子４５（磁束検出部４０）に対して媒体１の移動方向の両側に磁界印加用第１磁石３１と磁界印加用第２磁石３２として配置されており、矢印Ｘ１で示す媒体１の移動方向に沿って、磁界印加用第１磁石３１、磁気センサ素子４５および磁界印加用第２磁石３２がこの順に配置されている。このため、磁界印加用磁石３０と磁気センサ素子４５とは上下方向で重なっていない。ここで、媒体１の移動方向で対向する磁界印加用第１磁石３１の永久磁石３５と磁界印加用第２磁石３２の永久磁石３５とは、実施の形態１のように、磁気センサ素子４５（磁束検出部）を挟んで異なる極が対向している構成、あるいは、実施の形態２のように、磁気センサ素子４５（磁束検出部）を挟んで同じ極が対向している構成を有している。
【手続補正９】
【補正対象書類名】明細書
【補正対象項目名】００７３
【補正方法】変更
【補正の内容】
【００７３】
また、集磁ヨーク３６を設けたので、磁界印加用第１磁石３１と磁界印加用第２磁石３２との反発や吸引の影響を受けないようにすることができるとともに、磁界印加用第１磁石３１および磁界印加用第２磁石３２を筐体などに搭載する際、集磁ヨーク３６を磁界印加用第１磁石３１および磁界印加用第２磁石３２の固定などに利用することができる。また、外部磁界の影響を受けにくいようにシールドすることもできる。
【手続補正１０】
【補正対象書類名】明細書
【補正対象項目名】００７５
【補正方法】変更
【補正の内容】
【００７５】
図１１（ａ）に示すように、本形態の磁気センサ装置２０でも、実施の形態１〜３と同様、磁界印加用磁石３０は、磁気センサ素子４５（磁束検出部４０）に対して媒体１の移動方向の両側に磁界印加用第１磁石３１と磁界印加用第２磁石３２として配置されており、矢印Ｘ１で示す媒体１の移動方向に沿って、磁界印加用第１磁石３１、磁気センサ素子４５および磁界印加用第２磁石３２がこの順に配置されている。このため、磁界印加用磁石３０と磁気センサ素子４５とは上下方向で重なっていない。ここで、媒体１の移動方向で対向する磁界印加用第１磁石３１の永久磁石３５と磁界印加用第２磁石３２の永久磁石３５とは、実施の形態１のように、磁気センサ素子４５（磁束検出部）を挟んで異なる極が対向している構成、あるいは、実施の形態２のように、磁気センサ素子４５（磁束検出部）を挟んで同じ極が対向している構成を有している。
【手続補正１１】
【補正対象書類名】明細書
【補正対象項目名】００７８
【補正方法】変更
【補正の内容】
【００７８】
図１２（ａ）に示すように、本形態の磁気センサ装置２０でも、実施の形態１、２、３と同様、磁界印加用磁石３０は、磁気センサ素子４５（磁束検出部４０）に対して媒体１の移動方向の両側に磁界印加用第１磁石３１と磁界印加用第２磁石３２として配置されており、矢印Ｘ１で示す媒体１の移動方向に沿って、磁界印加用第１磁石３１、磁気センサ素子４５および磁界印加用第２磁石３２がこの順に配置されている。このため、磁界印加用磁石３０と磁気センサ素子４５とは上下方向で重なっていない。ここで、媒体１の移動方向で対向する磁界印加用第１磁石３１の永久磁石３５と磁界印加用第２磁石３２の永久磁石３５とは、実施の形態１のように、磁気センサ素子４５（磁束検出部）を挟んで異なる極が対向している構成、あるいは、実施の形態２のように、磁気センサ素子４５（磁束検出部）を挟んで同じ極が対向している構成を有している。